(57)【要約】【課題】ショーツの内面への取り付けや取り外し時に、着用者の指や陰毛が粘着部に粘着することが防止された発熱具を提供すること。【解決手段】発熱具１０は、着用者の肌に近い側に位置し且つ通気性を有する第１の面１３と、着用者の肌から遠い側に位置する第２の面１４と、両面の間に介在配置された発熱部１１とを具備する。また発熱具１０は、横方向に延びる上縁１０ａ及び下縁１０ｂと縦方向に延びる左右の側縁１０ｃ，１０ｄとを有し、横方向に長い。第２の面１４の外面に発熱具１０を衣類へ固定するための粘着部１６ａ，１６ｂが設けられている。粘着部１６ａ，１６ｂは、発熱具１０の縦方向に延びる中心線ＣLに沿って縦方向に延び且つ上下縁まで達している中央帯状域Ａ、上縁に沿って横方向に延び且つ左右側縁まで達している上部帯状域Ｂ、及び下縁の中心位置から該下縁に沿って左右側縁へ向けて横方向に延びる下部帯状域Ｃ以外の領域に設けられている。【選択図】図１
2008220527.tif 000002
【特許請求の範囲】
【請求項１】
着用者の肌に近い側に位置し且つ通気性を有する第１の面と、着用者の肌から遠い側に位置する第２の面と、第１の面及び第２の面の間に介在配置された発熱部とを備え、横方向Ｘに延びる上縁及び下縁と縦方向Ｙに延びる左右の側縁とを有し、横方向Ｘに長い形状である発熱具であって、
第２の面の外面に発熱具を衣類へ固定するための粘着部が設けられており、
前記粘着部は、発熱具の縦方向Ｙに延びる中心線ＣLに沿って縦方向Ｙに延び且つ上下縁まで達している中央帯状域Ａ、上縁に沿って横方向Ｘに延び且つ左右側縁まで達している上部帯状域Ｂ、及び下縁の中心位置から該下縁に沿って左右側縁へ向けて横方向Ｘに延びる下部帯状域Ｃ以外の領域に設けられている発熱具。
【請求項２】
上縁は、発熱具の横方向Ｘに延びる中心線Ｌに向かう内向きの凸状となるような曲線形状をしており、下縁は、該縦中心線Ｌに対して外向きの凸状となるような曲線形状をしており、左右の側縁は、それぞれ外向きの凸状となるような曲線形状をしている請求項１記載の発熱具。
【請求項３】
左右の側縁に沿って上部帯状域の下端部から下縁にまで達する縦方向Ｙに延びる領域に設けられた一対の第１の粘着部と、
各第１の粘着部と中央帯状域との間であって、且つ上部帯状域の下端部から下部帯状域の上端部にまで達する縦方向Ｙに延びる帯状の領域に設けられた一対以上の第２の粘着部とが設けられている請求項１又は２記載の発熱具。
【請求項４】
第２の面が第１の面よりも難通気性であるか、又は非通気性である請求項１ないし３の何れかに記載の発熱具。
【請求項５】
発熱部が、所定温度に加熱された水蒸気を発生するものである請求項１ないし４の何れかに記載の発熱具。
【請求項６】
請求項１ないし５の何れかに記載の発熱具の使用方法であって、
第１の面に親指を当て、且つショーツに対向する中央帯状域に沿って他の指を添えて発熱具を把持し、発熱具をショーツの前身頃内面に貼付け、
発熱具を取り外すときには、親指以外の指を中央帯状域に沿って発熱具とショーツとの間に挿入し、且つ第１の面に親指を添え、親指と他の指で発熱具を把持して取り外す、発熱具の使用方法。
【発明の詳細な説明】
【技術分野】
【０００１】
本発明は、身体の加温に用いられる発熱具に関し、特に生理痛の緩和に用いられる発熱具に関する。
【背景技術】
【０００２】
通気性を有する扁平な袋内に発熱材料を封入し、該発熱材料の発熱により身体を加温するために用いられる発熱具が種々知られている。例えば本出願人は先に、表面層と裏面層と該表面層及び該裏面層間に介在された発熱体とからなるカイロ本体、並びに使用時に該カイロ本体の上端縁から外方に延出させてショーツ（下着）に装着しうるように該カイロ本体に設けられた固定片を具備する携帯用カイロを提案した（特許文献１参照）。カイロ本体及び固定片には粘着剤が施されており、該粘着剤によってカイロ本体をショーツの外面に貼り付け、またショーツの開口部を跨ぐように固定片をショーツの内面に折り込んで該内面に貼り付ける。したがって、カイロの取り付け位置がショーツの開口部の近傍になってしまうという制約がある。またカイロから発生する熱は、ショーツの生地を通して身体に間接的に付与されることになる。したがってショーツの生地には様々な種類があるので、ショーツの種類によって伝熱の程度が異なることがある。
【０００３】
この携帯用カイロとは別に、生理痛を和らげるために用いられる温熱ボディーパッドが提案されている（特許文献２参照）。この温熱ボディーパッドは、発熱材料が２層の間に封入されてなる複数の熱セルを備え、酸素透過性を有する第１面と、使用者の身体に直接当たる第２面とを有している。このボディーパッドにおいては、酸素透過性を有する第１面に、該ボディーパッドを取り外し自在に取り付ける粘着性の取り付け手段が具備されている。取り付け手段は第１面の全域に設けられている。ボディーパッドは、この取り付け手段を介してショーツ内側に取り付けられる。粘着性の取り付け手段が第１面の全域に設けられているので、このボディーパッドにおいては、例えばショーツのウエスト開口端からボディーパッドの一部がはみ出した状態でショーツに取り付けられると、はみ出した部分に存在する粘着性の取り付け手段がショーツ以外の衣類に接触し粘着してしまう。また、ボディーパッドをショーツ内の適正な位置に取り付けられたとしても、ボディーパッドの取り付け時及び／又は取り外し時に陰毛が粘着性の取り付け手段に粘着しやすい。更に、ボディーパッドの取り付け時及び／又は取り外し時に、粘着性の取り付け手段に着用者の指が粘着しやすく、ハンドリング性に欠ける。
【０００４】
粘着性の取り付け手段を有する発熱具としては、前記の特許文献２に記載のボディーパッドの他に、通気性粘着面及び非粘着面を有する偏平状袋に発熱組成物が収納された発熱袋も提案されている（特許文献３参照）。この発熱袋は、下着と皮膚との間において、該発熱袋の通気性粘着面を下着の内側に貼り付けて下着に固定することによって該通気性粘着面を人体の外側に向けることで安定した通気性状態に保持し、非粘着面を皮膚に接触させて人体を直接暖めるように意図されている。この発熱袋における通気性粘着面には、粘着剤が均一に分散されるように印刷又は塗布される。したがってこの発熱袋においても、先に述べた特許文献２に記載のボディーパッドと同様の不都合がある。
【０００５】
【特許文献１】特開平１１−１５５８９５号公報
【特許文献２】特表２００１−５０７５９３号公報
【特許文献３】特開２００１−１９８１５０号公報
【発明の開示】
【発明が解決しようとする課題】
【０００６】
したがって本発明の目的は、前述した従来技術が有する欠点を解消し得る発熱具を提供することにある。
【課題を解決するための手段】
【０００７】
本発明は、着用者の肌に近い側に位置し且つ通気性を有する第１の面と、着用者の肌から遠い側に位置する第２の面と、第１の面及び第２の面の間に介在配置された発熱部とを備え、横方向Ｘに延びる上縁及び下縁と縦方向Ｙに延びる左右の側縁とを有し、横方向Ｘに長い形状である発熱具であって、
第２の面の外面に発熱具を衣類へ固定するための粘着部が設けられており、
前記粘着部は、発熱具の縦方向Ｙに延びる中心線ＣLに沿って縦方向Ｙに延び且つ上下縁まで達している中央帯状域Ａ、上縁に沿って横方向Ｘに延び且つ左右側縁まで達している上部帯状域Ｂ、及び下縁の中心位置から該下縁に沿って左右側縁へ向けて横方向Ｘに延びる下部帯状域Ｃ以外の領域に設けられている発熱具を提供するものである。
【０００８】
また本発明は、前記の発熱具の使用方法であって、
第１の面に親指を当て、且つショーツに対向する中央帯状域に沿って他の指を添えて発熱具を把持し、発熱具をショーツの前身頃内面に貼付け、
発熱具を取り外すときには、親指以外の指を中央帯状域に沿って発熱具とショーツとの間に挿入し、且つ第１の面に親指を添え、親指と他の指で発熱具を把持して取り外す、発熱具の使用方法を提供するものである。
【発明の効果】
【０００９】
本発明の発熱具によれば、これをショーツの内面に取り付けるときや取り外すときに、着用者の指や陰毛が粘着部に粘着することが防止される。また誤ってショーツのウエスト開口部からはみ出すように発熱具を取り付けても、粘着部が他の衣類に粘着することが防止される。
【発明を実施するための最良の形態】
【００１０】
以下本発明を、その好ましい実施形態に基づき図面を参照しながら説明する。図１（ａ）には、本発明の発熱具の第１の実施形態としての蒸気温熱具をその肌当接面側からみた平面図が示されている。図１（ｂ）は、該蒸気温熱具をその衣類当接面側からみた平面図である。図２は、図１（ａ）におけるII−II線断面図である。
【００１１】
本実施形態の蒸気温熱具１０は、それに含まれる発熱部から発生した所定温度に加熱された水蒸気を、着用者の身体に適用し、着用者の生理機能を改善するために用いられるものである。特に本実施形態の蒸気温熱具１０は、所定温度に加熱された水蒸気を、女性の下腹部に適用することで、生理痛を緩和するために好適に用いられる。
【００１２】
蒸気温熱具１０は、横方向Ｘ及びそれに直交する縦方向Ｙを有し、横方向に縦長の形状を有している。蒸気温熱具１０は、横方向Ｘに延びる上縁１０ａ及び下縁１０ｂと、縦方向Ｙに延びる左右の側縁１０ｃ，１０ｄとを有している。上縁１０ａは、蒸気温熱具１０の横方向Ｘに延びる中心線Ｌに向かう内向きの凸状となるような曲線形状をしている。下縁１０ｂは、横方向Ｘに延びる中心線Ｌに対して外向きの凸状となるような曲線形状をしている。左右の側縁１０ｃ，１０ｄは、それぞれ外向きの凸状となるような曲線形状をしている。上縁１０ａの両端部は左右の側縁１０ｃ，１０ｄの上端部と滑らかに連なっている。同様に、下縁１０ｂの両端部は左右の側縁１０ｃ，１０ｄの下端部と滑らかに連なっている。蒸気温熱具１０がこのような滑らかな輪郭を有することで、該蒸気温熱具１０はその着用中に違和感が発生しづらくなっている。
【００１３】
蒸気温熱具１０は、発熱部１１及び該発熱部１１を収容する収容体１２を備えている。収容体１２は扁平なものであり、蒸気温熱具１０の輪郭を成している。収容体１２は、複数のシート材が貼り合わされることで、発熱部１１が収容される密閉空間が形成されたものである。扁平な形状を有する収容体１２は、着用者の肌に近い側に位置する第１の面１３、及びそれと反対側であり、使用者の肌から遠い側に位置する第２の面１４を有している。
【００１４】
発熱部１１は被酸化性金属を含んでいる。発熱部１１は被酸化性金属が酸素と接触することによる酸化反応で生じた熱を利用して、所定温度に加熱された水蒸気を発生する部位である。発熱部１１の詳細については後述する。
【００１５】
第１の面１３は空気及び水蒸気の透過が可能なように通気性を有している。一方、第２の面１４は、空気及び水蒸気の透過の程度が第１の面１３よりも低くなっている。即ち第２の面１４は第１の面１３よりも難通気性であるか、又は非通気性である。第２の面１４が難通気性であるか、それとも非通気性であるかは、蒸気温熱具１０の具体的な用途に応じて適宜選択される。
【００１６】
蒸気温熱具１０は、その第１の面１３の側が着用者の肌に直接当接し、第２の面１４の側が衣類（本実施形態では、後述するようにショーツ）に直接当接するように使用される。発熱部１１の発熱によって発生した水蒸気は、第１の面１３を通じ、対象物である着用者の肌に直接付与されるようになっている。
【００１７】
蒸気温熱具１０における第１の面１３及び第２の面１４は何れもシート材から構成されている。そして蒸気温熱具１０の収容体１２はその周縁に、第１の面１３及び第２の面１４をそれぞれ構成するシート材の周縁部を互いに接合して形成された閉じた形状の周縁接合部１５を有している。周縁接合部１５は連続に形成されている。収容体１２は、周縁接合部１５よりも内側の部分において第１の面１３と第２の面１４とが非接合状態になっている。それによって収容体１２には、発熱部１１を収容する単一の密閉空間が形成されている。図２に示すように、発熱部１１は収容体１２に形成されている空間のほぼ全域を占めるように収容されている。即ち収容体１２内には単一の発熱部１１が収容されており、且つ該発熱部１１は周縁接合部１５を除く収容体１２のほぼ全域を占めるように収容されている。図２では発熱部１１は収容体１２の密閉空間に単に収容されているが、発熱部１１と収容体１２の内面の一部とを発熱を妨げない範囲で接着剤等の接合手段を用いて固定しても良い。
【００１８】
第２の面１４を構成する第２の不織布１４ｂの表面には、蒸気温熱具１０を着用者の衣類、例えばショーツに固定するための粘着部１６ａ，１６ｂが設けられている（図１（ｂ）参照）。これらの粘着部は、例えば熱可塑性樹脂であるアクリル系樹脂、酢酸ビニル系樹脂、オレフィン系樹脂などの粘着剤を第２の不織布１４ｂの表面に塗工したり印刷したりすることで形成されている。これらの樹脂は非転着性であることが好ましい。粘着部１６ａ，１６ｂの詳細については後述する。
【００１９】
蒸気温熱具１０は、図３に示すように、その上縁１０ａが上側に位置し且つ下縁１０ｂが下側に位置するように、粘着部１６ａ，１６ｂによってショーツ３０の内面に固定されて使用される。この状態においては、蒸気温熱具１０の横方向Ｘは、水平方向に一致する。蒸気温熱具１０は、ショーツ３０の内面に直接固定されるので、ショーツ３０の形状（股上の深いものや浅いもの）によらず所望の位置に蒸気温熱具１０を固定することができる。特に、蒸気温熱具１０の固定位置が、同図に示すように、ショーツ３０の前身頃３０ａにおける股下部３０ｂの近傍、つまり最下腹部に対応する位置であると、着用者の身体への水蒸気の付与による生理痛の緩和の効果が顕著なものとなる。一般にショーツ３０は、その前身頃３０ａから股下部３０ｂに向けて切れ込んだ形状をしているので、蒸気温熱具１０の輪郭が、その切れ込んだ形状に一致していると、着用者の最下腹部に対応する位置にフィット性よく蒸気温熱具１０を固定することができる。そこで蒸気温熱具１０は、その下縁１０ｂが、該蒸気温熱具１０の横方向Ｘに延びる中心線Ｌ（図１（ａ）参照）に対して外向きの凸状となるような曲線形状をしている。
【００２０】
蒸気温熱具１０を着用者の最下腹部に対応する位置に一層フィット性よく固定する観点から、下縁１０ｂ並びに側縁１０ｃ，１０ｄは以下に述べるような曲線形状を有していることが好ましい。即ち、図４に示すように、下縁１０ｄにおける最下部の位置での接線Ｈから２０ｍｍ下方の位置において該接線Ｈと平行に引いた直線Ｌと、蒸気温熱具１０の縦中心線Ｃとの交点をＳとし、また、該直線Ｌ上における該交点Ｓから４５ｍｍ離れた位置をＴとし、更に位置Ｔを通る蒸気温熱具１０の側縁１０ｄ（１０ｃ）の接線をＰとしたとき、下縁１０ｂ及び側縁１０ｃ，１０ｄは、該接線Ｐと該直線Ｌとのなす角θが１００〜１５０度、特に１００〜１３０度となるような曲線形状を有していることが好ましい。
【００２１】
本実施形態の蒸気温熱具１０によれば、これを図３に示すように装着することで、所定温度に加熱された水蒸気による熱が直接着用者の身体に施されるので、生理痛が効果的に緩和される。この理由は、水蒸気の発生を伴う熱は、水蒸気の発生を伴わない熱に比べて熱の伝導が速いので、人体の深部の温度を一層高め得るからである。人体の深部の温度が高くなることで、自律神経を介して温熱中枢が刺激され、それによって血管が拡張して血流が増加し、また末梢温度が上昇する。それによって生理痛が緩和されるものと考えられる。
【００２２】
蒸気温熱具１０は、粘着部１６ａ，１６ｂの配置位置が特徴の一つになっている。詳細には図１（ｂ）に示すように、これらの粘着部は、蒸気温熱具１０の縦方向Ｙに延びる中心線ＣLに沿って縦方向Ｙに延び且つ上下縁１０ａ、１０ｂにまで達している中央帯状域Ａ、上縁１０ｂに沿って横方向Ｘに延び且つ左右の側縁１０ｃ，１０ｄにまで達している上部帯状域Ｂ、及び下縁１０ｂの中心位置から該下縁１０ｂに沿って左右側縁１０ｃ，１０ｄへ向けて横方向Ｘに延びる下部帯状域Ｃ以外の領域に設けられている。
【００２３】
中央帯状域Ａに粘着部が設けられていないことにより、蒸気温熱具１０をショーツへ取り付けるとき及び／又はショーツから取り外すときに、着用者の指が粘着部に付着しづらくなる。その結果、取り付け及び取り外しの操作性が良好になる。具体的には、例えば蒸気温熱具１０をショーツへ取り付ける場合には、肌に近い側に位置する第１の面１３に親指を当て、且つショーツに対向する第２の面１４における中央帯状域Ａに沿って他の指（例えば中指）を添えて蒸気温熱具１０を把持することで、蒸気温熱具１０をショーツ３０の前身頃３０ａの内面に首尾良く貼り付けることができる。蒸気温熱具１０をショーツ３０から取り外すときには、例えば親指以外の指（例えば中指）を中央帯状域Ａに沿って蒸気温熱具１０とショーツ３０との間に挿入し、次いで肌に近い側に位置する第１の面１３に親指を添え、親指と他の指で蒸気温熱具１０を把持することで、蒸気温熱具１０を首尾良く取り外すことができる。
【００２４】
上部帯状域Ｂに粘着部が設けられていないことにより、着用者が誤ってショーツ３０のウエスト開口部からはみ出すように蒸気温熱具１０を取り付けた場合であっても、そのはみ出た部分には粘着部が存在していないので、ショーツ以外の衣類に粘着部が付着することが防止される。また、上部帯状域Ｂがあることにより、蒸気温熱具１０をショーツ３０から取り外すときには、ショーツとの隙間があるので指を挿入しやすく、蒸気温熱具１０を首尾良く取り外すことができる。
【００２５】
更に下部帯状域Ｃに粘着剤が設けられていないことにより、粘着剤に陰毛が貼り付くことを防止できる。上述したとおり、ショーツ３０の前身頃３０ａにおける股下部３０ｂの近傍に蒸気温熱具１０を取り付けると、着用者の身体への水蒸気の付与による生理痛の緩和の効果が顕著なものとなるところ、そのような位置への蒸気温熱具１０の取り付けは、粘着剤への陰毛の貼り付きの原因となりやすい。しかし下部帯状域Ｃに粘着剤が設けられていないことにより、そのような不都合を効果的に防止することができる。
【００２６】
中央帯状域Ａ、上部帯状域Ｂ及び下部帯状域Ｃに粘着剤を設けないことによる上述の効果を一層顕著なものとする観点から、蒸気温熱具１０の大きさに関わりなく、中央帯状域Ａの幅Ａ１は２０ｍｍ以上、特に２０〜１００ｍｍ、とりわけ２０〜５０ｍｍであることが好ましい。上部帯状域Ｂの幅Ｂ１は５〜１５ｍｍ、特に５〜１０ｍｍであることが好ましい。下部帯状域Ｃの幅Ｃ１は２０ｍｍ以上、特に２０〜７０ｍｍ、とりわけ２０〜５０ｍｍであることが好ましい。下部帯状域Ｃの長さＣ２は７０ｍｍ以上、特に７０〜２００ｍｍ、とりわけ８０〜１５０ｍｍであることが好ましい。下部帯状域Ｃは、その長手方向の端部が、図１（ｂ）に示すように左右の側縁１０ｃ，１０ｄにまで達していなくてもよく、或いは達していてもよい。蒸気温熱具１０の大きさは、横方向の長さは５０〜３００ｍｍ、特に１００ｍｍ〜２００ｍｍが好ましく、縦方向の長さは５０〜１２０ｍｍ、特に５０〜１００ｍｍが好ましい。
【００２７】
第２の面１４における粘着部が設けられていない領域は上述のとおりであるところ、粘着部が設けられている領域は次のとおりである。粘着部は、第１の粘着部１６ａと第２の粘着部１６ｂとに大別されるところ、第１の粘着部１６ａは、左右の側縁１０ｃ，１０ｄに沿って上部帯状域Ｂの下端部から下縁１０ｂにまで達する縦方向に延びる領域に一対設けられている。第２の粘着部１６ｂは、各第１の粘着部１６ａと中央帯状域Ａとの間であって、且つ上部帯状域Ｂの下端部から下部帯状域Ｃの上端部にまで達する縦方向に延びる帯状の領域に、中心線ＣLに対して線対称に二対設けられている。第２の粘着部１６ｂは同形でもよく、或いは異なっていてもよい。或いは、第２の粘着部１６ｂは、図５（ａ）及び（ｂ）に示すように三対以上設けられていてもよい。要するに、第２の粘着部１６ｂは二対以上設けられていてもよい。
【００２８】
図１（ｂ）並びに図５（ａ）及び（ｂ）に示すように、中心線ＣLに対して線対称になっている第２の粘着部１６ｂは、蒸気温熱具１０の縦方向に延びるストライプ状になっている。このような形状であることに起因して、ショーツ３０の内面に貼り付けられた蒸気温熱具１０は、例えばトイレでショーツ３０を上げ下ろししたときに剥がれ落ちづらくなる。しかもショーツ３０から取り外すときは剥がしやすくなる。第２の粘着部１６ｂの幅は、蒸気温熱具１０の横方向及び縦方向の長さが前述した範囲であることを条件として、１〜２０ｍｍ、特に５〜１０ｍｍであることが好ましい。
【００２９】
次に蒸気温熱具１０を構成する各部材の材料について説明する。蒸気温熱具１０においては、第１の面１３及び第２の面１４の通気度を適切に調整することで、第１の面１３を通じて水蒸気が優先的に放出されるように構成されている。具体的には、第２の面の通気度を、第１の面の通気度よりも大きい。ここで、通気度はＪＩＳ  Ｐ８１１７によって測定される値であり、１００ｍｌの空気が６．４５ｃｍ2の面積を通過する時間（秒／１００ｍｌ）で定義される。したがって、通気度が大きいことは空気の通過に時間がかかること、即ち通気性が低いことを意味している。逆に、通気度が小さいことは通気性が高いことを意味している。このように、通気度の大小と通気性の高低とは逆の関係を示す。本実施形態において、第１の面１３及び第２の面１４の通気性を比較すると、第１面１３の方が、第２の面１４よりも高くなっている。すなわち、先に述べたとおり、第２の面１４は非通気性であるか、又は難通気性（即ち、通気性を有するものの、第１の面１３よりも低い通気性を有している）である。
【００３０】
収容体１２は、通気面である第１の面１３と、それに対向する非通気面である第２の面１４とを有する扁平な形態をしており、通気面である第１の面１３を通じて蒸気温熱が発生するようになされている。或いは、収容体１２は、通気面である第１の面１３と、それに対向する難通気面である第２の面１４とを有する扁平な形態をしており、通気面である第１の面１３を通じて蒸気温熱が発生するようになされている。第２の面１４が難通気性である場合、第１の面１３と第２の面１４の通気度をバランスさせることで、空気は第２の面１４を通じて優先的に収容体１２内に流入すると共に、水蒸気は第１の面１３を通じて優先的に放出される。
【００３１】
第２の面１４が難通気性である場合、該第２の面１４を通じての空気の流入を確保しつつ、該面１４を通じての水蒸気の放出を抑制させる観点から、第２の面１４の通気度を、第１の面１３の通気度の５倍以上、特に１０倍以上とすることが好ましい。或いは、第１の面１３の通気度と第２の面１４の通気度との比（第１の面／第２の面）を０．５以下、特に０．２以下とすることも好ましい。これによって、第２の面１４を通じての水蒸気の放出を一層減じさせることができ、且つ第１の面１３を通じての水蒸気の放出を一層増加させることができる。一方、第２の面１４が非通気性である場合、収容体１２内への空気の流入、及び水蒸気の発生は、専ら第１の面１３を通じて行われる。
【００３２】
第２の面１４が難通気性である場合、該面１４の通気度を３００００秒／１００ｍｌ以上、特に４００００秒／１００ｍｌ以上、とりわけ５００００秒／１００ｍｌ以上とすることが好ましい。一方、第１の面１３の通気度は、第２の面１４が非通気性であるか又は難通気性であるかを問わず、１００〜３００００秒／１００ｍｌ、特に１０００〜２００００秒／１００ｍｌであることが好ましい。
【００３３】
先に述べたとおり、蒸気温熱具１０における第１の面１３及び第２の面１４は何れもシート材から構成されている。通気度を支配し且つ粉体の漏れ出しを防止するシート材としては、メルトブローン不織布や透湿性フィルムが好適に用いられる。透湿性フィルムは、熱可塑性樹脂及び該樹脂と相溶性のない有機又は無機のフィラーの溶融混練物をフィルム状に成形し、一軸又は二軸延伸して得られたものであり、微細な多孔質構造になっている。種々の通気度及び透湿度を有するシート材を組み合わせて積層シートを構成することで、第１の面１３及び第２の面１４の通気度を所望の値に設定する自由度が増す。
【００３４】
本実施形態においては、図２に示すように、第１の面１３は透湿性シート１３ａと、該シート１３ａの全面を被覆する第１の不織布１３ｂとから構成されている。第１の不織布１３ｂの通気性は透湿性シート１３ａの通気性に比べて十分に高いので、第１の面１３の通気性は透湿性シート１３ａの通気性によって決定される。一方、第２の面１４は、シート１４ａと、該シート１４ａの全面を被覆する第２の不織布１４ｂとから構成されている。シート１４ａは、透湿性シートであるか、又は非透湿性シートである。シート１４ａが透湿性シートである場合、該透湿性シートの通気性は、第１の面１３を構成する透湿性シート１３ａの通気性よりも低くなっている。
【００３５】
不織布１３ｂ，１４ｂとしては、例えばエアスルー不織布、スパンボンド不織布、スパンレース不織布、ケミカルボンド不織布、ヒートボンド不織布などを用いることができる。
【００３６】
第１の面１３を構成する透湿性シート１３ａと第１の不織布１３ｂとは、周縁接合部１５においてのみ接合されていてもよく、或いは両者はそれらの全面で接合されていてもよい。全面で接合されている場合には、透湿性シート１３ａの通気性が損なわれないようにするために、両者は不連続な接合パターンで接合される。第２の面１４を構成するシート１４ａと第２の不織布１４ｂの接合態様についても同様である。なお、図２において、収容体１２の第１の面１３と第２の面１４はそれぞれ２種のシートを有する構成になっているが、上記通気性機能を有する範囲であればそれぞれ３以上のシートを組み合わせたものであっても良い。
【００３７】
蒸気温熱具１０における発熱部１１について説明すると、発熱部１１は、被酸化性金属、反応促進剤、電解質及び水を含む。そのような発熱部１１は、例えば発熱シート又は発熱粉体からなる。発熱部１１が発熱シートからなる場合には、発熱シートは、被酸化性金属、反応促進剤、繊維状物、電解質及び水を含む、含水状態の繊維シートであることが好ましい。すなわち、発熱シートは、被酸化性金属、反応促進剤及び繊維状物を含有する成形シートに、電解質水溶液を含有させて構成されていることが好ましい。発熱シートとしては、湿式抄造により得られたシート状物や、発熱粉体を紙等で挟持してなる積層体等が挙げられる。そのような発熱シートは、例えば本出願人の先の出願に係る特開２００３−１０２７６１号公報に記載の湿式抄造法や、ダイコーターを用いたエクストルージョン法を用いて製造することができる。一方、発熱部１１が発熱粉体からなる場合には、発熱粉体は被酸化性金属、反応促進剤、保水剤、電解質及び水を含んで構成されていることが好ましい。発熱シート及び発熱粉体のうち、どのような姿勢においても水蒸気を均一に適用し得る点から、発熱シートを用いることが好ましい。また、発熱シートは、発熱粉体に比較して、発熱の温度分布を均一化することが容易であり、また、被酸化性金属の担持能力が優れている点からも有利である。
【００３８】
発熱部１１が発熱シートからなる場合、該発熱シートは６０〜９０重量％、特に７０〜８５重量％の被酸化性金属、５〜２５重量％、特に８〜１５重量％の反応促進剤及び５〜３５重量％、特に８〜２０重量％の繊維状物を含む成形シートに、該成形シート１００重量部に対して、１〜１５重量％、特に２〜１０重量％の電解質を含む電解質水溶液が３０〜８０重量部、特に４０〜７０重量部含有されて構成されていることが好ましい。一方、発熱部１１が発熱粉体からなる場合、該発熱粉体は、２０〜５０重量％、特に２５〜４０重量％の被酸化性金属、３〜２５重量％、特に５〜２０重量％の反応促進剤及び３〜２５重量％、特に５〜２０重量％の保水剤を含む固形分１００重量部に対して、０．３〜１０重量％、特に０．５〜５重量％の電解質を含む電解質水溶液が２０〜７０重量部、特に３０〜６０重量部含有されて構成されていることが好ましい。発熱シートや発熱粉体を構成する各種材料としては、当該技術分野において通常用いられているものと同様のものを用いることができる。また、先に述べた特開２００３−１０２７６１号公報に記載の材料を用いることもできる。
【００３９】
本実施形態の蒸気温熱具１０は、その使用前は、その全体が酸素バリア性を有する包装材（図示せず）によって包装されて、発熱部１１が空気中の酸素と接触しないようになっている。酸素バリア性の材料としては、例えばその酸素透過係数（ＡＳＴＭ  Ｄ３９８５）が１０ｃｍ3・ｍｍ／（ｍ2・ｄａｙ・ＭＰａ）以下、特に２ｃｍ3・ｍｍ／（ｍ2・ｄａｙ・ＭＰａ）以下であるようなものが好ましい。具体的にはエチレン−ビニルアルコール共重合体やポリアクリロニトリル等のフィルム、又はそのようなフィルムにセラミック若しくはアルミニウム等を蒸着したフィルムが挙げられる。
【００４０】
包装材には、蒸気温熱具１０が生理痛を緩和する旨の表示を付すことが好ましい。このような表示によって、消費者に対して、従来知られていた一般の使い捨てカイロでは十分に達成し得なかった生理痛を緩和効果が、本発明によって達成されることを知らせることができる。したがって消費者は、本発明の改良された性能の十分な価値を容易に認識することになる。前記の表示には、文字はもちろんのこと、記号や図形等、本発明の改良された性能を消費者に伝え得るあらゆる情報手段が含まれる。また前記の表示には、本発明が、他の製品に比して優れている旨の情報を含めることができる。更に、前記の表示を包装袋に付すことに加えて、又はそれに代えて、当該表示を含む指示書を、蒸気温熱具１０と共に包装材の中に入れてもよい。或いは、蒸気温熱具１０そのものに、当該表示を付してもよい。
【００４１】
次に、本発明の第２及び第３の実施形態を、図６及び図７を参照しながら説明する。これらの実施形態に関し特に説明しない点については上述した第１の実施形態に関する説明が適宜適用される。また図６及び図７において、図１ないし図４と同じ部材には同じ符号を付してある。
【００４２】
図６に示す第２の実施形態においては、蒸気温熱具１０の縦方向Ｙに延びる中心線ＣLに対して線対称になっている一対の第２の粘着部１６ｂを有している。第２の粘着部１６ｂの幅は、第１の実施形態における第２の粘着部の幅よりも太くなっている。第１の粘着部１６ａに関しては第１の実施形態と同様である。本実施形態によれば、第１の実施形態と同様の効果が奏される。
【００４３】
図７に示す第３の実施形態においては、上述した中央帯状域Ａ、上部帯状域Ｂ及び下部帯状域Ｃ以外のすべての領域に粘着部１６が形成されている。粘着部１６は、中心線ＣLに対して線対称に一対設けられている。本実施形態によれば、蒸気温熱具１０とショーツ３０との接着力が一層高くなり、ショーツの上げ下ろしを繰り返し行っても蒸気温熱具１０の剥がれ落ちが一層起こりづらくなる。
【００４４】
以上、本発明をその好ましい実施形態に基づき説明したが、本発明は前記実施形態に制限されない。例えば第１及び第２の実施形態においては第２の粘着部１６は、蒸気温熱具１０の縦方向に延びる中心線ＣLに関して線対称に形成されていたが、各粘着部１６が中心線ＣLに関して線対称に形成されている必要はない。また第２の粘着部１６は、三対以上形成されていてもよい。
【００４５】
また前記実施形態は、本発明の発熱体を蒸気温熱具に適用した例であるが、本発明は、蒸気温熱具以外の発熱体、例えば使い捨てカイロとして知られている、水蒸気の発生を実質的に伴わずに発熱する発熱体にも同様に適用することができる。
【図面の簡単な説明】
【００４６】
【図１】本発明の発熱具の第１の実施形態としての蒸気温熱具をその肌当接面側及び衣類当接面側からみた平面図である。
【図２】図１におけるII−II線断面図である。
【図３】図１に示す蒸気温熱具をショーツに固定する状態を示す説明図である。
【図４】図１に示す蒸気温熱具における下縁と水平線とのなす角度の測定法を示す説明図である。
【図５】図１に示す蒸気温熱具の別の形態を示す図（図１（ｂ）相当図）である。
【図６】本発明の発熱具の第２の実施形態としての蒸気温熱具をその衣類当接面側からみた平面図（図１（ｂ）相当図）である。
【図７】本発明の発熱具の第３の実施形態としての蒸気温熱具をその衣類当接面側からみた平面図（図１（ｂ）相当図）である。
【符号の説明】
【００４７】
１０  蒸気温熱具
１１  発熱部
１２  収容体
１３  第１の面
１３ａ  透湿性シート
１３ｂ  第１の不織布
１４  第２の面
１４ａ  シート
１４ｂ  第２の不織布
１５  周縁接合部
１６，１６ａ，１６ｂ  粘着部
３０  ショーツ
【図１】
2008220527.tif 000003
【図２】
2008220527.tif 000004
【図３】
2008220527.tif 000005
【図４】
2008220527.tif 000006
【図５】
2008220527.tif 000007
【図６】
2008220527.tif 000008
【図７】
2008220527.tif 000009